(57)【特許請求の範囲】
【請求項１】
電源に接続されるタップ本体部に、該タップ本体部上に形成されて凹状空間部を有するソケット部と、該ソケット部の凹状空間部内に脱着自在に収容されかつ収容時に該ソケット部内の接触端子に電気的に接続されるコンセント部材と、を各々複数具備する電源タップであって、
前記ソケット部には、
前記凹状空間部内に収容された前記コンセント部材を射出する方向に付勢するばね部材と、
前記凹状空間部内に収容された前記コンセント部材に係合又は離間するように設けられて、係合時にて該コンセント部材を前記ばね部材の付勢力に抗して凹状空間部内に保持する係合手段と、を有し、
前記ばね部材は、前記ソケット部の凹状空間部の底部にリング状に形成されており、
前記ソケット部内の接触端子はリング状に形成された前記ばね部材の内側に配置され、
前記係合手段はサーバ装置から通信手段を経由して送信される抜取り指示に基づき駆動されて前記複数のコンセント部材の保持を選択的に解放することを特徴とする電源タップ。
【請求項２】
前記ばね部材は円形をなすリング状体であることを特徴とする請求項１に記載の電源タップ。
【請求項３】
前記ばね部材はコイルばねであることを特徴とする請求項１又は２のいずれか１項に記載の電源タップ。
【請求項４】
前記係合手段はソレノイドにより構成されることを特徴とする請求項１〜３のいずれか１項に記載の電源タップ。
【請求項５】
前記ソレノイドは、電磁石への通電で移動する閂を有し、この閂が前記コンセント部材の孔に突出した場合に、該コンセント部材を前記ばね部材の付勢力に抗して前記ソケット部内に保持し、また、この閂がコンセント部材から退避した場合に該コンセント部材を前記ばね部材の付勢力により前記ソケット部から射出させる請求項４に記載の電源タップ。
【請求項６】
電源に接続されるタップ本体部に、該タップ本体部上に形成されて凹状空間部を有するソケット部と、該ソケット部の凹状空間部内に脱着自在に収容されかつ収容時に該ソケット部内の接触端子に電気的に接続されるコンセント部材とを各々複数具備する電源タップの駆動方法であって、
前記ソケット部に収容された前記コンセント部材を射出する方向に付勢し、
前記コンセント部材に係合手段を係合させることにより前記付勢に抗し、
前記コンセント部をソケット部の凹状空間部の底部に設けられたリング状の弾性部材により付勢するとともに、前記弾性部材の内部に配置された接点によりソケット部と電気的に接続するとともに、
前記係合手段はサーバ装置から通信手段を経由して送信される抜取り指示に基づき駆動されて前記コンセント部材の保持を選択的に解放することを特徴とする電源タップの駆動方法。
【発明の詳細な説明】
【技術分野】
【０００１】
本発明は、電源ケーブルのオートイジェクト機能を備えた電源タップおよびその駆動方法に関する。
【背景技術】
【０００２】
作業者の手の届きにくい位置に電源タップが配置されている場合がある。
このような電源タップでは、電源ケーブルを抜く際に、該電源ケーブルを無理に引っ張ることで破損することがある。
そして、このような破損事故に対応するために、電源ケーブルのオートイジェクト機能を備えた電源タップが提供されている。
【０００３】
例えば、特許文献１に示される電子機器では、ケーブルを介してデジタルカメラからの通信終了コマンドが受信されると、イジェクト部によりケーブルのプラグがプラグ差込口からイジェクトされる構成が示されている。
また、特許文献２に示される電源接続装置では、電気機器本体の使用後に、ソレノイドを励磁することにより、中継プラグの当接面を強く突押し、これにより電源プラグを電源コンセントから離脱させる構成が示されている。
【先行技術文献】
【特許文献】
【０００４】
【特許文献１】特開２００４−２８１２４４号公報
【特許文献２】特開２００２−８７７５号公報
【発明の概要】
【発明が解決しようとする課題】
【０００５】
ところで、特許文献１及び２に示される技術は、ソレノイドを励磁させることにより、電源ケーブルが接続されたコンセント部材を離脱させるように構成されたものである。
ここで適用されるソレノイドはコンセント部材を押し出すために比較的大型のものが使用され、このため、電源タップも大型化するという問題があった。
【０００６】
この発明は、上述した事情に鑑みてなされたものであって、電源ケーブルを押し出すための動力としてソレノイドを使用せず、かつ構成部材の配置に伴うスペースの無駄を最小限に抑え、構成全体をコンパクト化することができる電源タップの提供を目的とする。
【課題を解決するための手段】
【０００７】
上記課題を解決するために、この発明は以下の手段を提案している。
すなわち、本発明は、電源に接続されるタップ本体部と、該タップ本体部上に形成されて凹状空間部を有するソケット部と、該ソケット部の凹状空間部内に脱着自在に収容されかつ収容時に該ソケット部内の接触端子に電気的に接続されるコンセント部材と、を具備する電源タップであって、前記ソケット部には、前記凹状空間部内に収容された前記コンセント部材を射出する方向に付勢するばね部材と、前記凹状空間部内に収容された前記コンセント部材に係合又は離間するように設けられて、係合時にて該コンセント部材を前記ばね部材の付勢力に抗して凹状空間部内に保持する係合手段と、を有し、前記ばね部材は、前記ソケット部の凹状空間部の底部にてリング状に形成されており、前記ソケット部内の接触端子はリング状に形成された前記ばね部材の内部に配置されることを特徴とする。
【発明の効果】
【０００８】
本発明によれば、電源ケーブルを射出するための駆動源としてソレノイドを使用せず、かつ構成部材の配置に伴うスペースの無駄を最小限に抑え、構成全体をコンパクト化することができる。
【図面の簡単な説明】
【０００９】
【図１】本発明の一態様にかかる電源タップを示す概略図である。
【図２】本発明の実施形態に係る電源タップの適用例を示す図である。
【図３】電源タップにおけるコンセント部材を示す概略図である。
【図４】コンセント部材を示す概略図である。
【図５】コンセント部材が挿入されるソケット部を示す概略図である。
【図６】ソケット部内にコンセント部材が挿入された状態を示す概略図である。
【発明を実施するための形態】
【００１０】
本発明に係る電源タップ１００の一態様について図１を参照して説明する。
この電源タップ１００は、電源に接続されるタップ本体部１と、該タップ本体部１上に形成されて凹状空間部２を有するソケット部３と、該ソケット部３の凹状空間部２内に脱着自在に収容されるコンセント部材４と、を具備する。このコンセント部材４の雌プラグ５には電源ケーブルＣの雄プラグ６が着脱自在に接続される。
【００１１】
ソケット部３の凹状空間部２内には接触端子３Ａが設置されている。
該接触部材３Ａは、凹状空間部２の底部２Ａに配置されるものであって、コンセント部材４を凹状空間部２内に収容した場合に、該コンセント部材４の下部に位置する接触部材４Ａに電気的に接続される。
【００１２】
ソケット部３には、凹状空間部２内に収容されたコンセント部材４を射出する方向に付勢するばね部材７と、凹状空間部２内に収容されたコンセント部材４に係合又は離間する係止部８Ａを有する係合手段８が設けられている。
【００１３】
係合手段８は、タップ本体部１に設置されるものであって、係合時にて該コンセント部材４をばね部材７の付勢力に抗して凹状空間部２内に保持する。
ばね部材７は、ソケット部３の凹状空間部２の底部２Ａにてリング状に形成されている。
また、コンセント部材４の挿入時に、該コンセント部材４の接触端子４Ａに接触するソケット部３の接触端子３Ａは、リング状に形成されたばね部材７の内部に配置される。
そして、このようなばね部材７と、ソケット部３の接触端子３Ａとの位置関係により、ばね部材７の配置に伴うスペースの配置ロスを最小限に抑えることができ、構成全体をコンパクト化することができる。
【００１４】
以上詳細に説明したように本発明の電源タップ１００によれば、電源に接続されるタップ本体部１上に、凹状空間部２を有するソケット部３が設けられており、該ソケット部３の凹状空間部２内に、該ソケット部３内の接触端子３Ａに電気的に接続されるコンセント部材４が脱着される。
また、ソケット部３には、コンセント部材４に係合又は離間する係合手段８が設けられており、係合手段８の係合時（係止部８Ａが矢印（イ）方向に突出した場合）にコンセント部材４の抜け止めがなされ、係合手段８が離間した係合解除時（係止部８Ａが矢印（ロ）方向に退避した場合）にコンセント部材４の抜き出しが可能になる。
【００１５】
また、ソケット部３には、凹状空間部２内に収容されたコンセント部材４を射出する方向に付勢するばね部材７が設けられており、係合手段８による係合時に、該コンセント部材４をばね部材７の付勢力に抗して凹状空間部２内に保持する。
このため、係合手段８がコンセント部材４から離間して係合解除となったときには（係止部８Ａが矢印（ロ）方向に後退した場合）、該ばね部材７の付勢力によって、ソケット部３の凹状空間部２内に収容されたコンセント部材４が外部に射出され、これによりタップ本体部１からのコンセント部材４の自動抜き取りすることができる。
すなわち、本発明の電源タップ１００では、タップ本体部１に電源ケーブルが自動で射出する仕組みを有しているので、タップ本体部１が作業者の手の届きにくい位置にある場合でも電源ケーブルを無理に引っ張ることなくケーブルを抜くことができる。
【００１６】
一方、本発明の電源タップ１００では、ソケット部３の凹状空間部２の底部にてリング状のばね部材７が設けられるとともに、該リング状のばね部材７の内部に、ソケット部３の接触端子３Ａが収容される構成であるので、ばね部材７の配置に伴うスペースの配置ロスが無くなり、構成全体をコンパクト化することができる。
【００１７】
（実施形態）
本発明の実施形態について図２〜図６を参照して説明する。
図２は本発明の電源タップ１０１の適用例を示す図であって、この電源タップ１０１には電源ケーブルＣを介して複数台のサーバ装置１０が接続されている。
また、各サーバ装置１０に接続される電源ケーブルＣは、電源タップ１０１の対応するコンセント部材２４（後述する）にそれぞれ連結されている。
【００１８】
サーバ装置１０には通信手段１１が設けられている。
この通信手段１１は、各サーバ装置１０と電源タップ１０１との間に接続されたＬＡＮケーブル１２と、該ＬＡＮケーブル１２の途中に設けられたＬＡＮスイッチ１３とを有するものである。
そして、この通信手段１１では、サーバ装置１０から電源ケーブルＣの抜取り指示が出力された場合に、ＬＡＮケーブル１２及びＬＡＮスイッチ１３を経由して、該当する電源ケーブルＣのコンセント部材２４を射出すべく係合手段２８（後述する）を選択的に作動させる。
【００１９】
次に、電源タップ１０１の実施形態について図３〜図６を参照して説明する。
この電源タップ１０１は、電源に接続されるタップ本体部２１と、該タップ本体部２１上に形成された凹状空間部２２を有するソケット部２３と、該ソケット部２３の凹状空間部２２内に脱着自在に収容されるコンセント部材２４と、を具備する。
このコンセント部材２４の雌プラグ２５には電源ケーブルＣの雄プラグ２６が着脱自在に接続される。
【００２０】
ソケット部２３はタップ本体部２１上に列をなすように複数配置され、該ソケット部２３の凹状空間部２２内には接触端子２３Ａがそれぞれ設置されている。
該接触部材２３Ａは、図４〜図６に示されるように、凹状空間部２２の底部に配置されるものであって、コンセント部材２４をソケット部２３の凹状空間部２２内に収容した場合に、該コンセント部材２４の下部に位置する接触部材２４Ａに電気的に接続される。
【００２１】
各ソケット部２３には、図５に示されるように、凹状空間部２２内に収容されたコンセント部材２４を射出する方向（矢印（ニ）方向）に付勢するばね部材２７と、凹状空間部２２内に収容されたコンセント部材２４に係合又は離間する係止部２８Ａを有する係合手段２８と、がそれぞれ設置されている。
係合手段２８は、係止部２８Ａが矢印（イ）方向に移動して凹状空間２２に突出している場合にコンセント部材２４の周面に形成された被係合孔２４Ｂ内に係合し、該コンセント部材２４をばね部材２７の付勢力に抗して凹状空間部２２内に保持する。
また、この係合手段２８は、係止部２８Ａが矢印（ロ）方向に移動して凹状空間２２から退避している場合にコンセント部材２４への係合を解除する。
【００２２】
なお、この係合手段２８として例えばソレノイドＳが使用される。
このソレノイドＳは、電磁石（図示略）への通電で移動する閂３０を有し、この閂が前述した係止部２８Ａとして機能する。
そして、このようなソレノイドＳの閂３０は、その先端がテーパー状（図示略）に形成されており、電磁石への通電ＯＦＦ時に、コンセント部材２４の被係合孔２４Ｂ内にそのテーパー部が突出した状態（閂３０が付勢されて矢印（イ）方向に突出した状態）にある。
この状態で、ソケット部２３の凹状空間部２２内にコンセント部材２４を挿入したならば（挿入方向を矢印（ハ）方向とする）、該コンセント部材２４の周面で接する閂３０のテーパー部を滑らせて、該閂３０をコンセント部材２４の被係合孔２４Ｂ内に案内及び係合させることができる。これによりソレノイドＳの閂３０により、コンセント部材２４をばね部材２７の付勢力に抗してソケット部２３内に保持することができる。
一方、上記ソレノイドＳでは、電磁石への通電ＯＮ時に、閂３０をコンセント部材２４の被係合孔２４Ｂから矢印（ロ）方向に退避することで、ばね部材２４の付勢力により該コンセント部材２４をソケット部２３から射出させることができる（射出方向を矢印（ニ）方向とする）。
なお、上記ソレノイドＳへの通電ＯＮ／ＯＦＦは、サーバ装置１０から通信手段１１を経由して出力される電源ケーブルＣの抜取り指示に基づき、所定時間経過後に行われる。
【００２３】
ばね部材２７は、ソケット部２３の凹状空間部２２の底部にて該凹状空間部２２の周縁に沿うようにリング状に形成された弾性部材、例えばコイルばねＭにより構成されている。
また、コンセント部材２４の挿入時に、該コンセント部材２４の接触端子２４Ａに接触するソケット部２３の接触端子２３Ａは、コイルばねＭの内部空間に配置されている。
そして、このようなコイルばねＭと、ソケット部２３の接触端子２３Ａとの位置関係により、コイルばねＭの配置に伴うスペースの配置ロスを最小限に抑えることができ、構成全体をコンパクト化することができる。
【００２４】
以上詳細に説明したように本実施形態の電源タップ１０１によれば、電源に接続されるタップ本体部２１上に、凹状空間部２２を有するソケット部２３が設けられており、該ソケット部２３の凹状空間部２２内に、該ソケット部２３内の接触端子２３Ａに電気的に接続されるコンセント部材２４が脱着される。
また、ソケット部２３には、凹状空間部２２内に収容されたコンセント部材２４に係合又は離間する係合手段２８が設けられており、係合手段２８の係合時にコンセント部材２４の抜け止めがなされ、係合手段２８が離間した係合解除時にコンセント部材２４の抜き出しが可能になる。
【００２５】
また、ソケット部２３には、凹状空間部２２内に収容されたコンセント部材２４を射出する矢印（ニ）方向に付勢するばね部材２７が設けられており、係合手段２８による係合時に、該コンセント部材２４をばね部材２７の付勢力に抗して凹状空間部２２内に保持する。
このため、係合手段２８がコンセント部材２４から離間して係合解除となったときには（係止部２８Ａが矢印（ロ）方向に後退した場合）、該ばね部材２７の付勢力によって、ソケット部２３の凹状空間部２２内に収容されたコンセント部材２４が外部に矢印（ニ）方向に射出され、これによりタップ本体部２１からのコンセント部材２４の自動抜き取りすることができる。
すなわち、本実施形態の電源タップ１０１では、タップ本体部２１に電源ケーブルが自動で射出する仕組みを有しているので、タップ本体部２１が作業者の手の届きにくい位置にある場合でも電源ケーブルを無理に引っ張ることなくケーブルを抜くことができる。
【００２６】
一方、本実施形態の電源タップ１０１では、ソケット部２３の凹状空間部２２の底部にコイルばねＭが設けられるとともに、該コイルばねＭの内部に、ソケット部２３の接触端子２３Ａが収容される構成であるので、該コイルばねＭの配置に伴うスペースの配置ロスが無くなり、構成全体をコンパクト化することができる。
また、本発明にて、係合手段２８の操作を、サーバ装置１０から通信手段１１を経由して送信される抜取り指示に基づき行わせることで、作業者が抜く対象となる電源ケーブルを自ら判断する必要をなくすことができる。よって誤って異なるサーバ装置の電源ケーブルを抜くことを防ぐことができる。
【００２７】
なお、上記実施形態では、ソケット部２３の接触端子２３Ａの周囲にリング状のコイルばねＭを配置したが、この形状はリング状に限定されない。
また、コイルばねＭは一つに限定されず、同心状に大きさの異なる複数のコイルばねを設けた構成としても良いし、また、ソケット部２３の接触端子２３Ａの周囲かつ該ソケット部２３の凹状空間部２２の周縁に沿うように、一定間隔で小型のコイルばねＭを多数配置しても良い。
【００２８】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００２９】
本発明は、電源ケーブルのオートイジェクト機能を備えた電源タップに関する。
【符号の説明】
【００３０】
１  タップ本体部
２  凹状空間部
３  ソケット部
４  コンセント部材
７  ばね部材
８  係合手段
１００  電源タップ
Ｃ  電源ケーブル
Ｍ  コイルばね
【図１】
0006662145.tif 000002
【図２】
0006662145.tif 000003
【図３】
0006662145.tif 000004
【図４】
0006662145.tif 000005
【図５】
0006662145.tif 000006
【図６】
0006662145.tif 000007